(57)【特許請求の範囲】
【請求項１】
支持板の背面側には、時刻を指示する指針を駆動する時計機械体と、当該支持板の前面側に位置する円環形の回転装飾板を駆動する駆動装置とが設けてあり、
上記回転装飾板の外周部には、上記駆動装置によって駆動される歯車と噛合する歯部が設けてあり、
上記回転装飾板の内周部には、上記支持板に回転自在に装着してある複数のローラによって回転自在に支持される縁部が設けてあり、
上記複数のローラは、上記縁部の前面側と対向するつば部のみを有する第１ローラと、上記縁部の裏面側と対向するつば部のみを有する第２ローラとで構成されている
ことを特徴とする回転装飾板付きからくり時計。
【請求項２】
請求項１において、上記第１ローラと上記第２ローラは交互に配置してあることを特徴とする回転装飾板付きからくり時計。
【請求項３】
請求項１において、上記回転装飾板には少なくとも１つの可動飾りが回転自在に設けてあることを特徴とする回転装飾板付きからくり時計。
【発明の詳細な説明】
【０００１】
【発明の技術分野】
本発明は、いわゆる回転装飾板付きからくり時計に関するものである。
【０００２】
【従来の技術】
従来より振り子や指針以外に動きを取り入れた時計として、正時になると扉が開いて中から人形が出て音楽を演奏したり、ダンスをしたりするからくり時計がある。このようなからくり時計の一種として、回転式文字板が正時になると回転して変化を与えるようにしたものがある（実開平２−４１１９２号）。回転式文字板は外径が大きい円板状からなるものであるため、前後への振れを生じないようにすることが要求されている。
【０００３】
本出願人は先に、回転式文字板の中心部を指針軸が貫通するように設けられたムーブメント固定用ナットで回転自在に支持するとともに、図４に示すように回転式文字板４１の外周部４１ａを支持板４２に立設する柱４２ａに回転自在に支持された複数のフラジ付きローラ４３で支持することにより回転式文字板を安定的に回転可能とすることを提案した（実用新案登録第２５４３８４７号）。
【０００４】
このようなフランジ付きローラによって回転体を支持する手段の採用は、回転式文字板に限らず、からくり時計に採用されている回転装飾板の外周部あるいは内周部を支持する手段としても採用が検討されている。
【０００５】
【発明が解決しようとする課題】
上記したように、回転式文字板が複数のローラによって支持されることにより安定した回転が得られるようになった反面、組み立て作業が面倒になっている問題がある。すなわち、回転式文字板の外周部４１ａをローラ４３のフランジ部４３ａ，４３ａによって形成された凹部に係合させるためには、軸方向からではこのフランジ部が邪魔になるので回転式文字板４１及びローラ４３のいずれかを径方向から係合させ、両者を係合させた状態でム−ブメント固定用ナット及び支持板４２の柱４２ａに組み込んでいる。このことは、からくり時計の組み立てにおける作業能率が低下し、からくり時計の製造コスト低減を妨げている原因となっている。
【０００６】
また、上記の課題は回転式文字板の支持に限らず、上記した回転装飾板の支持手段についてもあてはまる課題である。この課題の解決は、回転装飾板付きからくり時計の構成の自由度の拡大と製造コスト低減にもつながるものである。
【０００７】
【発明が解決しようとする課題】
上記の課題を解決するために、本発明の回転装飾板付きからくり時計は、回転装飾板の内周部に形成された縁部を、片側にだけつば部を有する複数のローラによって支持するようにしてある。これらのローラは、上記した縁部の前面側と対向するつば部のみを有する第１ローラと、縁部の裏面側と対向するつば部のみを有する第２ローラとを交互に設けることにより回転装飾板の振れを抑えるようにしてある。
【０００８】
ローラがこのような組み合わせにしてあるので、回転装飾板の組み立ての際には、軸方向から第２ローラ、回転装飾板、第１ローラの順に組み込むことができる。
このような構成の採用により可動飾りを取り付けた多様性のある回転装飾板付きからくり時計を提供することを可能とする。
【０００９】
【発明の実施の形態】
本発明の回転装飾板付きからくり時計は、枠体の内部に設けてある支持板の背面側に、時刻を指示する指針を駆動する時計機械体と、支持板の前面側に位置する円環形の回転装飾板を駆動する駆動装置とが設けてある。回転装飾板の外周部には、駆動装置によって駆動される歯車と噛合する歯部が設けてあり、回転装飾板の内周部には、支持板に回転自在に装着してある複数のローラによって回転自在に支持される縁部が設けてある。複数のローラは、回転装飾板の縁部の前面側と対向するつば部のみを有する第１ローラと、この縁部の裏面側と対向するつば部のみを有する第２ローラとで構成される。
上記の複数のローラは、第１ローラと第２ローラが交互に配置してあることが好ましい。
上記の回転装飾板には少なくとも１つの可動飾りを回転自在に設けてあってもよい。
【００１０】
【実施例】
次に本発明の一実施例について説明する。図３は本発明の回転装飾板付きからくり時計の全体構成の正面の状態を示すもので、枠体１の前面にガラス押え２を介して図には表れていない前面ガラスが設けてある。枠体１は後述の時計機械体その他の構成要素を収容可能に形成してある。枠体１の前面は文字板その他の要素が位置すべき部分を切欠して、両側に実質的に円弧状に形成された固定飾り部１ａとしてある。固定飾り部１ａにはヨーロッパの城、ラッパを吹いている人形、音符などが描かれている。
【００１１】
枠体１の下部に設けられた切欠部１ｂには、小さな建物の近くに座って楽器を演奏している人形からなる回転飾り３が設けてある。回転飾り３は図示しない駆動装置によって水平方向に回転するように設けてある。この回転飾りの駆動装置の例としては、機械体収容部１ｃに超音波モータを取り付け、時計機械体から出力される信号により回転したり停止したりするようにしたものがある。
【００１２】
枠体１の上部に形成された切欠部１ｄには、支持板４の前面でバイオリンを演奏している人形からなる揺動飾り５及びこの揺動飾りの背後で、これとは異なる回転運動をする回転飾り板６が取り付けてある。
【００１３】
枠体１の中央部には、円板状の透明材からなる文字板７が取り付けてある。文字板７の周囲のドーナツ状に区分された範囲７ａには、裏面への印刷により１〜１２の時表示文字が設けてあるとともにその周囲を着色して不透明ととしてある。また、中心から一定の半径の円形部分７ｂも、裏面からの印刷により不透明としてあり、時表示文字部とこの中心部との間のドーナツ状の部分７ｃは透明となっており、この透明になっている部分から文字板の背後に設けてある回転装飾板８及びこれに取り付けてある５個のベルからなる可動飾り９が前方から見えるようにしてある。文字板７の前面側には指針である時針１０及び分針１１が設けてある。
【００１４】
この回転装飾板付きからくり時計は、正時になると、図示されていない音源から楽器演奏のメロディが流れ、回転飾り３が水平方向に回り、人形の向きが変わると同時に揺動飾り５が揺動し、回転飾り板６が回転する。これと同時に回転装飾板８が回転し、これにともない５個のベルからなる可動飾り９がベルを吊り下げ状態のまま移動させるように相対的に揺動する。
【００１５】
図１は、上述した各飾りの駆動機構を断面図で示したものであり、図３に示してある枠体１やガラス押え２のほか回転飾り３、揺動飾り５、飾り板６等の表示は省いてある。
【００１６】
支持板４は、合成樹脂成形品により各構成要素を取り付けるのに適する形状に形成してある。支持板４の背面側に設けられた凹部には時計機械体１２が装着してある。時計機械体１２の前面中央部から突出する指針軸１２ａは、この指針軸と軸心を同じくするとともにこの指針軸よりも大径の中心固定ねじ１２ｂとともに，支持板４に形成してある円筒部４ａを貫通して、文字板７の前面側へ突出している。中心固定ねじ１２ｂの先端部には端部にフランジ部を有する中心固定ナット１３を螺合することにより時計機械体１２が支持板４から脱落しないようにしてある。また、この中心固定ナット１３は、文字板７の中心部を支持板４に固定する役割も担っている。時針１０及び分針１１は指針軸１２ａの先端に取り付けられている。
【００１７】
支持板４の背面の時計機械体１２の装着位置のすぐ上方は、平板状に形成されており、この平板部４ｂには回転装飾板８を駆動する駆動装置１４が装着してある。駆動装置１４には駆動モータ等が備えられており、この装置の前面から駆動軸１４ａが突出している。駆動軸１４ａには、ボス部１５ａを通常の形状よりも長く形成してなる駆動用の歯車１５が圧入固着してある。歯車１５のボス部１５ａは、支持板４の透孔を挿通して駆動装置１４の前面に達する状態となっている。
【００１８】
歯車１５には、その上方で支持板４に突設された支持部４ｃに回転自在に取り付けてある第２歯車１６が噛合している。第２歯車１６は座付きねじ１７を支持部４ｃの中心孔にねじ止めすることにより脱落不能としてある。第２歯車１６の中心部の前面側には、揺動飾り５を揺動させる偏心カム部１６ａ及び回転飾り板６を取り付けるための支持部１６ｂ，１６ｂが形成してある。
【００１９】
歯車１５は、第２歯車１６と噛合しているとともに回転装飾板８の外周部に設けてある歯部８ａとも噛合しており、回転装飾板８を駆動装置１４の駆動力によって回転可能としてある。
【００２０】
回転装飾板８は、指針軸１２ａを曲率の中心とする円環形をしているとともに、断面が前面開口の実質的にコ字状に形成されたものからなっている。回転装飾板８内の内周部には内径方向に突出する縁部８ｂが設けてある。縁部８ｂは、支持板４の前面側に突設された複数（本実施例では６個）の支持部４ｄに回転自在に支持されているローラ１８，１９によって支持されている。支持部４ｄは指針軸１２ａの中心に対して同一円周上に６０度の等角度間隔に形成してある。
【００２１】
ローラ１８，１９は、回転装飾板８の縁部８ｂの前面側と対向するつば部１８ａのみを有する第１ローラ１８と、上記の縁部の裏面側と対向するつば部１９ａのみを有する第２ローラ１９とを交互に３個ずつ配置したものからなる（図２参照）。第１ローラ１８は、回転装飾板の縁部８ｂから前面向きの力を受けても脱落しないように、支持部４ｄにねじ止めした座付きねじ２０を介して保持してある。
【００２２】
回転装飾板の縁部８ｂは、第１ローラ１８及び第２ローラ１９の各つば部１８ａ，１９ａによって単一のローラの両側に設けられたつば部によって形成された溝部に係合している状態と同様の状態が得られ、前後方向への振れが抑制されるため安定した回転が得られる。なお、第１ローラ１８と第２ローラ１９とは同一のローラを逆向きに取り付けてあり、部品の種類を少なくしている。ローラの取付数は、回転装飾板８の大きさに対応させて８個、１０個等の偶数にしてもよい。
【００２３】
回転装飾板８のコ字状断面の凹部８ｃ内には、既述した５個の可動飾り９が等間隔に配置してある（図３参照）。回転装飾板８の凹部８ｃの底面から前方に突出して形成された５個の支持部８ｄのそれぞれの先端部の軸方向には開口が形成してあり、この開口はねじ９ａの頭部は挿通不能であるが胴部は挿通可能となっている。すなわち、可動飾り９とねじ９ａとで支持部８ｄの開口を挟んで、可動飾り９の背面の略中央部にねじ９ａをねじ結合させることによって、可動飾り９が回転装飾板８から脱落しないようになっているとともに、可動飾り９が回転装飾板８に対して相対的に回転自在に支持してあり、回転装飾板８の回転運動に従って相対的に回転することにより常にベルが吊り下げ状態に見えるようにしてある。なお、可動飾り９はベルに限定されず、数も限定されない。
【００２４】
図２は、回転装飾板８の駆動機構を前面側から見た図を示すもので、支持板４は回転装飾板８と歯車１６との投影形状に対応しただるま形になっており、その外周部の要所には、枠体１（図３参照）にねじ止め固定するための取付部４ｅが設けてある。
【００２５】
【発明の効果】
本発明によれば、第１ローラと第２ローラとはつば部がそれぞれ一方の側にのみ設けてあるので、組み立て工程において、回転装飾板かローラのいずれかを径方向にずらすことなく軸方向より第２ローラ、回転装飾板、第１ローラの順に組み込むことができるので、組み立て作業が容易となる。このため、からくり時計の製造コストの低減に貢献する。
【００２６】
また、第１ローラと第２ローラとを回転装飾板の内周部の縁部に交互に配置すれば、回転装飾板を安定的に支持することが可能となる。
さらにまた、回転装飾板に複数の可動飾りを回転自在に設けるようにすれば、からくり時計の飾りに変化を与えることができる。
【図面の簡単な説明】
【図１】一実施例の駆動機構を示す断面図である。
【図２】図１の正面図である。
【図３】一実施例の全体構成を示す正面図である。
【図４】従来技術における回転式文字板とローラとの係合状態を示す断面図である。
【符号の説明】
４              支持板
８              回転装飾板
８ａ            歯部
８ｂ            縁部
９              可動飾り
１０，１１      指針
１２            時計機械体
１４            駆動装置
１５            歯車
１８，１９      ローラ
１８ａ，１９ａ  つば部
【図１】
0003691946.tif 000002
【図２】
0003691946.tif 000003
【図３】
0003691946.tif 000004
【図４】
0003691946.tif 000005